(57)【要約】【課題】  屋根に必要な構造耐力を保持しつつも容易に施工することができる屋根パネル、屋根パネルを用いた構造、及びその施工方法を提供することを目的とする。【解決手段】  屋根パネル３は、第１野地板３１と、第１野地板３１の下面３１ａに互いに間隔を空けて平行に固定され、少なくとも第１野地板３１の一方の端縁３１ｂから突出する複数の第１垂木材３２と、を有し、互いに間隔を空けて平行に配置された複数の水平下地材２の上部に固定されるパネルであって、第１垂木材３１の第１野地板３２の端縁から突出する第１突出部３２ａの突出長さは、隣合う水平下地材２の間隔Ｌ１以上で形成される。【選択図】図１
2020176490.tif 000002
【特許請求の範囲】
【請求項１】
第１野地板と、前記第１野地板の下面に互いに間隔を空けて平行に固定され、少なくとも前記第１野地板の一方の端縁から突出する複数の第１垂木材と、を有し、互いに間隔を空けて平行に配置された複数の水平下地材の上部に固定される屋根パネルであって、
前記第１垂木材の前記第１野地板の端縁から突出する第１突出部の突出長さは、隣合う前記水平下地材の間隔以上であることを特徴とする屋根パネル。
【請求項２】
互いに間隔を空けて平行に配置され、軒桁方向へ延びる複数の水平下地材と、
請求項１に記載の屋根パネルと、を備え、
前記屋根パネルは、前記第１突出部を水上側へ向けて前記水平下地材に固定されることを特徴とする屋根構造。
【請求項３】
一方の端縁が前記第１野地板の一方の端縁に突き合せて配置される第２野地板、及び前記第２野地板の下面に互いに間隔を空けて平行に固定され、少なくとも一端が前記第２野地板の一方の端縁に配置される複数の第２垂木材を有する受け屋根パネルを備え、
前記受け屋根パネルは、前記第２垂木材の一端部を隣合う前記第１突出部同士の間に配置して前記水平下地材に固定されることを特徴とする請求項２に記載の屋根構造。
【請求項４】
一方の端縁が前記第２野地板の他方の端縁に突き合せて配置される第３野地板と、前記第３野地板の下面に互いに間隔を空けて平行に固定され、一端が前記第３野地板の一方の端縁から突出する複数の第３垂木材と、を有する第２屋根パネルと、を備え、
前記第２屋根パネルは、前記第３垂木材の前記第３野地板の端縁から突出する第２突出部を水下側へ向けて最も水上側の前記水平下地材に固定され、
前記受け屋根パネルは、前記第２垂木材の他端部を隣合う前記第２突出部同士の間に配置して前記水平下地材に固定されることを特徴とする請求項３に記載の屋根構造。
【請求項５】
請求項２から請求項４のいずれかに記載の屋根構造を用いた屋根構造施工方法であって、
前記第１垂木材の前記第１突出部を水上側へ向けて前記屋根パネルを前記水平下地材に固定し、
上方から前記第２野地板の一方の端縁を前記第１野地板の一方の端縁に突き合せるとともに、前記第２垂木材の一端部を前記第１突出部同士の間に配置して前記受け屋根パネルを前記水平下地材に固定し、
前記第２野地板を前記第１突出部に固定することを特徴とする屋根構造施工方法。
【請求項６】
前記第３垂木材の前記第２突出部を水下側へ向けて前記第２屋根パネルを最も水上の前記水平下地材に固定した後に、
上方から前記第２野地板の両端縁を、それぞれ前記第１野地板の一方の端縁及び前記第３野地板の一方の端縁に突き合せ、
第２垂木材の一端部を前記第１突出部同士の間に配置するとともに、第２垂木材の他端部を前記第２突出部同士の間に配置して前記受け屋根パネルを前記水平下地材に固定し、
前記第２野地板を前記第１突出部及び前記第２突出部に固定することを特徴とする請求項５に記載の屋根構造施工方法。
【発明の詳細な説明】
【技術分野】
【０００１】
本発明は、屋根勾配を形成する屋根パネル、屋根パネルを用いた屋根構造、及びその施工方法に関する。
【背景技術】
【０００２】
従来より、傾斜屋根を形成する場合、母屋などの水平下地材に架設される垂木材に屋根仕上材の下地となる板材を固定した屋根パネルを用いることがある（例えば、特許文献１及び特許文献２）。これらの屋根パネルは、垂木材と、その上に載置固定される板材と、を予め工場で一体化した状態で施工現場に搬入されるため、各部材を屋根の高さまで持上げて個別に施工する必要がなく、施工性を向上させることができる。
【先行技術文献】
【特許文献】
【０００３】
【特許文献１】特開平１０−４６７３７
【特許文献２】特開平７−２８６３９４
【発明の概要】
【発明が解決しようとする課題】
【０００４】
ところで、木造屋根構造において、母屋材と垂木材との接合強度、及び垂木材と野地板との接合強度を併せることによって屋根構面全体としての耐力（水平耐力）を確保する場合がある。しかしながら特許文献１及び特許文献２に記載の屋根パネルでは、隣合う屋根パネル同士が水平方向、及び屋根勾配方向共に継ぎ目を合致させた状態で水平下地材上に配置されるため、屋根パネルの継ぎ位置が構造上の弱点となり、水平ブレースのような補強材を設置しなければ屋根全体の水平耐力を確保できない可能性が高い。また屋根パネルの継ぎ位置を千鳥配置にすることもできるが、屋根パネルの割付が複雑化するため施工手間がかかるという問題点が挙げられる。
【０００５】
また一方で、梁間の大きい屋根や片流れ屋根のように長さのある大きな勾配屋根を形成する場合、屋根勾配に沿って傾斜する木製の垂木材同士を継ぐことがあるが、垂木材の継ぎ手部分は、精度よく繋ぎ合わせなければ滑らかな屋根面を形成することができないため高精度な施工が要求される。しかしながら、傾斜させた長尺な垂木材同士を正確に継ぐ作業は非常に難しく、その施工精度は施工者の技術に拠るところが大きいため、施工現場ごとに施工品質に差が生じることがあった。
【０００６】
そこで、本発明は、上述した課題を鑑みてなされたものであって、屋根に必要な構造耐力を保持しつつも容易に施工することができる屋根パネル、屋根パネルを用いた構造、及びその施工方法を提供することを目的とする。
【課題を解決するための手段】
【０００７】
本発明の第１の屋根パネルは、第１野地板と、前記第１野地板の下面に互いに間隔を空けて平行に固定され、少なくとも前記第１野地板の一方の端縁から突出する複数の第１垂木材と、を有し、互いに間隔を空けて平行に配置された複数の水平下地材の上部に固定される屋根パネルであって、前記第１垂木材の前記第１野地板の端縁から突出する第１突出部の突出長さは、隣合う前記水平下地材の間隔以上であることを特徴としている。
【０００８】
本発明の第１の屋根構造は、互いに間隔を空けて平行に配置され、軒桁方向へ延びる複数の水平下地材と、第１の屋根パネルと、を備え、前記屋根パネルは、前記第１突出部を水上側へ向けて前記水平下地材に固定されることを特徴としている。
【０００９】
本発明の第２の屋根構造は、一方の端縁が前記第１野地板の一方の端縁に突き合せて配置される第２野地板、及び前記第２野地板の下面に互いに間隔を空けて平行に固定され、少なくとも一端が前記第２野地板の一方の端縁に配置される複数の第２垂木材を有する受け屋根パネルを備え、前記受け屋根パネルは、前記第２垂木材の一端部を隣合う前記第１突出部同士の間に配置して前記水平下地材に固定されることを特徴としている。
【００１０】
本発明の第３の屋根構造は、一方の端縁が前記第２野地板の他方の端縁に突き合せて配置される第３野地板と、前記第３野地板の下面に互いに間隔を空けて平行に固定され、一端が前記第３野地板の一方の端縁から突出する複数の第３垂木材と、を有する第２屋根パネルと、を備え、前記第２屋根パネルは、前記第３垂木材の前記第３野地板の端縁から突出する第２突出部を水下側へ向けて最も水上側の前記水平下地材に固定され、前記受け屋根パネルは、前記第２垂木材の他端部を隣合う前記第２突出部同士の間に配置して前記水平下地材に固定されることを特徴としている。
【００１１】
本発明の第１の屋根構造施工方法は、第２から第４のいずれかの屋根構造を用いた屋根構造施工方法であって、前記第１垂木材の前記第１突出部を水上側へ向けて前記屋根パネルを前記水平下地材に固定し、前記第２野地板の一方の端縁を前記第１野地板の一方の端縁に突き合せるとともに、前記第２垂木材の一端部を前記第１突出部同士の間に配置して前記受け屋根パネルを前記水平下地材に固定し、前記第２野地板を前記第１突出部に固定することを特徴としている。
【００１２】
本発明の第２の屋根構造施工方法は、前記第３垂木材の前記第２突出部を水下側へ向けて前記第２屋根パネルを最も水上の前記水平下地材に固定した後に、上方から前記第２野地板の両端縁を、それぞれ前記第１野地板の一方の端縁及び前記第３野地板の一方の端縁に突き合せ、第２垂木材の一端部を前記第１突出部同士の間に配置するとともに、第２垂木材の他端部を前記第２突出部同士の間に配置して前記受け屋根パネルを前記水平下地材に固定し、前記第２野地板を前記第１突出部及び前記第２突出部に固定することを特徴としている。
【発明の効果】
【００１３】
本発明の第１の屋根パネルによると、第１垂木材の一端部が第１野地板の端縁から突出して第１突出部を形成しているので、第１突出部を屋根勾配の方向へ向けて屋根パネルを水平下地材の上部に設置し、一般的に普及している野地板と垂木材とを一体化した複合パネルの野地板を第１野地板の一方の端縁に突き合わせるとともに、複合パネルの垂木材を隣合う第１垂木材同士の間に配置して複合パネルを水平下地材に固定すれば、各パネルの垂木材同士の間隔を密にすることができる。したがって、従来のように各パネルの垂木材の端部同士を継ぐ必要がなく施工性を向上させることができるとともに、垂木材の継ぎ目部分の構造耐力を強化することができる。また、各パネルの野地板の継ぎ目と垂木材の継ぎ目とが合致しないので、構造的な弱点を補うことができ、屋根に必要な構造耐力を保持することができる。そして、第１突出部の突出長さが、隣合う水平下地材の間隔以上であるため、屋根パネルを安定的に水平下地材の上部に設置することができる。
【００１４】
本発明の第１の屋根構造によると、屋根パネルは、第１突出部を水上側へ向けて屋水平下地材に固定されるので、一般的に普及している野地板と垂木材とを一体化した複合パネルの野地板を水上側から第１野地板の一方の端縁に突き合わせるとともに、複合パネルの垂木材を隣合う第１垂木材同士の間に配置して複合パネルを水平下地材に固定すれば、各パネルの垂木材同士の間隔を密にすることができる。したがって、従来のように各パネルの垂木材の端部同士を継ぐ必要がなく施工性を向上させることができるとともに、垂木材の継ぎ目部分の構造耐力を強化することができる。そして、各パネルの野地板の継ぎ目と垂木材の継ぎ目とが合致しないため、構造的な弱点を補うことができ、また、垂木材と野地板との接合強度を保持することにより、屋根構面全体としての必要な水平耐力を確保することができる。
【００１５】
本発明の第２の屋根構造によると、第２野地板の一方の端縁を第１野地板の一方の端縁に突き合わせて配置するとともに、第２垂木材の一端部を隣合う第１突出部同士の間に配置して受け屋根パネルを水平下地材に固定するので、第２垂木材の一端部と第１突出部との間隔を密にすることができる。したがって、従来のように各パネルの垂木材の端部同士を継ぐ必要がなく施工性を向上させることができるとともに、垂木材の継ぎ目部分の構造耐力を強化することができる。そして、各パネルの野地板の継ぎ目と垂木材の継ぎ目とが合致しないため、構造的な弱点を補うことができ、また、垂木材と野地板との接合強度を保持することにより、屋根構面全体としての必要な水平耐力を確保することができる。
【００１６】
本発明の第３の屋根構造によると、第３野地板の一方の端縁を第２野地板の他方の端縁に突き合わせて配置するとともに、第２垂木材の他端部を隣合う第２突出部同士の間に配置して受け屋根パネルを水平下地材に固定するので、大屋根の場合であっても各屋根パネルを組み合わせることにより、施工現場で各垂木材の端部同士を継ぐ必要がなく、施工性を向上させることができる。
【００１７】
本発明の第１の屋根構造施工方法によると、屋根パネルを水平下地材に架設後、第１野地板から露出した隣合う第１突出部同士の間に第２垂木材の一端部を配置するので、施工現場で第１垂木材及び第２垂木材の端部同士を継ぐ必要がなく、施工性を向上させることができる。
【００１８】
本発明の第２の屋根構造施工方法によると、第２屋根パネルを最水上の水平下地材に固定して水上側の位置決めをした後に、屋根パネルと第２屋根パネルとの間に受け屋根パネルを上方から落とし込むだけで屋根構造を構築することができるので、施工性を向上させることができる。また第２垂木材の両端部は、第１野地板及び第３野地板からそれぞれ露出した第１突出部同士及び第２突出部同士の間に配置されるので、施工現場で各垂木材の端部同士を継ぐ必要がなく、施工性を向上させることができる。
【図面の簡単な説明】
【００１９】
【図１】第１実施形態の屋根構造を示す斜視図。
【図２】屋根パネルを示す斜視図。
【図３】補強垂木を有する屋根パネルを示す斜視図。
【図４】受け屋根パネルを示す斜視図。
【図５】屋根パネルを水平下地材に架設する状況を示す斜視図。
【図６】受け屋根パネルを水平下地材に架設する状況を示す斜視図。
【図７】（ａ）第１垂木材を軒桁に固定する状況を示す斜視図、（ｂ）第１垂木材を軒桁に固定した様子を示す斜視図。
【図８】第２垂木材を母屋に設置する状況を示す斜視図。
【図９】第１実施形態の屋根構造を示す平面図。
【図１０】屋根パネル及び受け屋根パネルを水平下地材に複数架設した状況を示す平面図。
【図１１】屋根パネルを複数有する屋根構造を示す平面図。
【図１２】屋根パネルと第２屋根パネルとの間に受け屋根パネルを設置する状況を示す斜視図。
【図１３】第２実施形態の屋根構造を示す平面図。
【発明を実施するための形態】
【００２０】
＜第１実施形態＞
以下、本発明に係る屋根構造１の実施形態について各図を参照しつつ説明する。図１に示す屋根構造１は、主に木質構造の傾斜屋根に使用される構造であって、互いに間隔を空けて平行に配置され、軒桁方向へ延びる複数の水平下地材２と、屋根パネル３と、屋根パネル３よりも水上側に配置される受け屋根パネル４と、を備えている。
【００２１】
水平下地材２は、図１に示すように、屋根勾配に沿って高低差を形成しながら互いに間隔を空けて略平行に配置され、図示しない柱や小屋束に支持されて軒桁方向へ延びる複数の長尺材であり、上部に屋根パネル３及び受け屋根パネル４を載置される。図示例では、水平下地材２は、最も水下側に配置される軒桁２１、最も水上側に配置される棟木２２、及び軒桁２１と棟木２２との間にこれらと平行に配置される複数の母屋２３、から構成されている。各水平下地材２間の間隔Ｌ１は、屋根の形状や地域ごとの気候、屋根に作用する荷重などを考慮して構造計算により算定され、例えば、母屋２３〜母屋２３間であれば垂直距離を１５００ｍｍ程度〜２０００ｍｍ程度とすることができる。なお、図１における水平下地材２の配置は一例を示したもであり、水平下地材２の種類や形状、母屋２３の本数は特に限定されない。
【００２２】
図１及び図５に示すように、軒桁２１、棟木２２の上面には後述する第１垂木材３２及び第２垂木材４２を受けるための垂木台２ａがそれぞれ固定されており、垂木台２ａには、各垂木材３２、４２と当接する箇所ごとに図７（ａ）に示す断面視略三角形の切欠き２ｂが形成されている。また図５及び図８に示すように、母屋２３の水下側の側面には、上面を屋根勾配に合わせて傾斜させた断面視台形の垂木掛け２３ａがビスや釘などの固定具Ａによって固定されており、各垂木材３２、４２を安定して載置することができる。
【００２３】
屋根パネル３は、野地板と垂木材とを予め工場で一体化される複合パネルで、図２に示すように、第１野地板３１と、第１野地板３１の下面３１ａに互いに間隔を空けて平行に固定される複数の第１垂木材３２と、を有している。第１野地材３１は、厚さ１２ｍｍ程度の構造用合板が使用され、幅２０００ｍｍ程度以下、長さ３０００ｍｍ〜４０００ｍｍ程度以下で形成されており、このような大きさとすることによって、施工時に屋根パネル３を支障なくクレーンで吊り上げて所定の位置に配置することができ、また容易に運搬することができる。第１垂木材３２は、第１野地板３１の上方から複数打ち込まれる固定具Ａによって第１野地板３１と連結固定され、一端部が第１野地板３１の一方の端縁３１ｂから突出しており、この突出した部分である第１突出部３２ａの突出長さＬ２は、図１に示す、隣合う水平下地材２間の間隔Ｌ１以上となっている。また、第１垂木材３２の他端部３２ｂは、第１野地板３１の他方の端縁３１ｃから突出して軒を形成する部分であり、図１に示すように、軒桁２１に載置される。この他端部３２ｂの軒桁２１と接する部分の側面３２ｃには、図７（ａ）に示すように、軒の出を揃えるために基準墨３２ｄがマーキングされており、他端部３２ｂの第１野地板３１からの出幅は、屋根ごとの軒の出によって決定される。なおこの第１垂木材３２の他端部３２ｂは、屋根パネル３を最水下に設置しない場合は第１野地板３１の他方の端縁３１ｃから突出させない。
【００２４】
屋根パネル３は、図１に示すように、第１垂木材３２の第１突出部３２ａ側を水上側に向けて水平下地材２上に固定され、その全長は少なくとも水平下地材２間の間隔Ｌ１の２〜３倍以上あることが望ましい。なお、図３に示すように軒の出が大きい屋根を形成する場合は、複数の第１垂木材３２の他端部３２ｂうち、両端を除く他端部３２ｂに隣接して補強垂木３３を設置することで軒の強度を補強することができる。なお図示していないが、補強垂木３３は、一端部の端縁を他端部３２ｂの端縁に揃えて配置された状態で、他端部を棟木２１に隣接する母屋２３に架渡すことが可能な長さを有している。
【００２５】
隣合う第１垂木材３２同士の間隔は、「木造軸組工法住宅の許容応力度設計（２０１７年度版）」に規定される水平下地材への配置基準に倣い５００ｍｍ以下とすることが望ましい。また複数の第１垂木材３２同士の間隔は、割付けの容易さや施工性を考慮して等間隔とすることが望ましいが、５００ｍｍ以下の間隔であれば必ずしも等間隔とする必要はない。
【００２６】
受け屋根パネル４は、屋根パネル３と同様、野地板と垂木材とを予め工場で一体化される複合パネルで、図４に示すように、第２野地板４１と、第２野地板４１の下面４１ａに互いに間隔を空けて平行に固定される複数の第２垂木材４２と、を有している。第２垂木材４２は、第２野地板４１の上方から複数打ち込まれる固定具Ａによって第２野地板４１と連結固定されており、両端がそれぞれ第２野地板４１の一方の端縁４１ｂ及び他方の端縁４１ｃに配置され、屋根パネル３とは異なり第２垂木材４２の両端部４２ａ、４２ｂは第２野地板４１から突出していない。受け屋根パネル４は、図１に示すように、第１突出部３２ａの上部に重ねて配置されるパネルであり、全長が水平下地材２間の間隔Ｌ２の２倍以上あることが望ましい。なお、第２野地板４１の構成及び第２垂木材４２同士の間隔は、それぞれ第１野地材３１の構成及び第１垂木材３２同士の間隔と同様となっている。
【００２７】
次に、屋根構造１の施工方法について説明する。まず、図５に示すように、図外の柱や小屋束に架け渡された水平下地材２に屋根パネル３を架設する。屋根パネル３は、第１垂木材３２の第１突出部３２ａを水上側に向けた状態で軒桁２１上部の垂木台２ａ及び母屋２３に固定された垂木掛け２３ａに載置され、図７（ａ）に示すように、垂木台２ａの切欠き２ｂに第１垂木材３２の他端部３２ｂを嵌め込まれる。そして、基準墨３２ｄと垂木台２ａの水下側の角とを整合させて他端部３２ｂの軒桁２１からの出幅を揃えた後、図７（ｂ）に示すように、上方から長尺ビスＢで他端部３２ｂと軒桁２１とを一体的に連結固定する。このとき、基準墨３２ｄが第１野地板３１によって隠蔽されていないため、容易に基準墨３２ｄを軒桁２１の所定の位置に合わせることができ、施工性を向上させることができる。さらに図８に示すように、第１垂木材３２の垂木掛け２３ａに当接する部分に、第１野地板３１の上方から長尺ビスＢを打ち込んで順次屋根パネル３を水平下地材２に固定する。
【００２８】
続いて、図１及び図６に示すように、受け屋根パネル４を第１野地板３１よりも水上側に位置する母屋２３に固定された垂木掛け２３ａ及び棟木２２上部の垂木台２ａに載置する。このとき、第２垂木材４２の一端部４２ａは、隣合う第１突出部３２ａ同士の間に配置され、第２野地板４１の一方の端縁４１ｂは第１野地板３１の一方の端縁３１ｂに突き合わされる。そして、屋根パネル３と同様の手順で棟木２２の垂木台２ａに第２垂木材４２の他端部４２ｂを嵌め込み、図９に示すように、第２野地板４１の上方から長尺ビスＢで受け屋根パネル４と棟木２２とを一体的に連結固定するとともに、第２垂木材４２の垂木掛け２３ａに当接する部分に、第２野地板４１の上方から長尺ビスＢを打ち込んで受け屋根パネル４を水平下地材２に固定する。
【００２９】
このようにして水平下地材２上に固定された屋根パネル３及び受け屋根パネル４は、図９に示すように、第２野地板４１と第１垂木材３２の第１突出部３２ａとが整合する位置に上方から固定具Ａを複数打ち込むことにより連結される。そして、図１０に示すように、屋根パネル３及び受け屋根パネル４を同様の手順で水平方向に設置してゆき、第１垂木材３２の他端部３２ｂの先端に軒先母屋３４をビス固定するとともに、軒先から突出する第１垂木材３２の他端部３２ｂ及び軒先母屋３４の上部に軒先用の軒先野地板５１を設置する。そして最後に、屋根面の妻側の端部に位置する受け屋根パネル４の妻側寄りの端縁から水平下地材２の長手方向の端縁までの間に端部野地板５２を設置し、屋根構造１を完成させる。
【００３０】
このように屋根構造１は、第１垂木材３２と第２垂木材４２とを一部分互い違いに配置することにより、各パネル３、４の垂木材３２、４２同士の間隔を密にすることができる。したがって、各垂木材３２、４２の端部同士を継ぐことなく各垂木材３２、４２の継ぎ目部分の構造耐力を強化することができ、施工性を大幅に向上させることができる。また、野地板及び垂木材の継ぎ目が合致しないので、構造上の弱点を補うことができ、屋根に必要な構造耐力を保持しつつも容易に施工することができる屋根構造を構築することができる。また、図示例では１つの屋根パネル３のみを使用しているが、図１１に示すように、複数の屋根パネル３の第１野地板３１同士を突き合わせて継ぎ合わせ、最も水上側に位置する屋根パネル３の第１突出部３２ａに受け屋根パネル４を固定してもよく、屋根の形状や大きさによって屋根パネル３の個数を調整することができる。
【００３１】
＜第２実施形態＞
次に、本発明に係る屋根構造６の実施形態について各図を参照しつつ説明する。なお、屋根構造１と重複する構成は、同様の符号を用いて説明を省略する。屋根構造６は、図１２に示すように、複数の水平下地材２、屋根パネル３、受け屋根パネル４、及び、受け屋根パネル４よりも水上側に配置される第２屋根パネル７、を備えている。
【００３２】
野地板と垂木材とを一体化した複合パネルである第２屋根パネル７は、図１２に示すように、一方の端縁７１ａが第２野地板４１の他方の端縁４１ｃに突き合せて配置される第３野地板７１と、第３野地板７１の下面に互いに間隔を空けて平行に固定される複数の第３垂木材７２と、を有している。第３垂木材７２は、一端部が第３野地板７１の一方の端縁７１ａから突出しており、この突出した部分である第２突出部７２ａの突出長さＬ３は、図１に示す、隣合う水平下地材２間の間隔Ｌ１以上となっている。なお第３野地板７１の構成、及び第３垂木材７２同士の間隔は、それぞれ第１野地板３１及び第１垂木材３２と同様となっている。
【００３３】
次に、屋根構造６を用いた屋根構造施工方法について説明する。まず、屋根パネル３を第１実施形態と同様の手順で水平下地材２に固定する。そして、図１２に示すように、第２突出部７２ａを水下側へ向けた状態で第３垂木材７２の他端部７２ｂを棟木２２上部に載置された垂木台２ａの図外の切欠き２ｃに嵌め込み、第３垂木材７２を母屋２３に固定された垂木掛け２３ａに載置する。そして、上方から長尺ビスＢ（図示しない）を打ち込んで他端部７２ｂと棟木２２とを一体的に連結固定するとともに、第３垂木材７２の垂木掛け２３ａに当接する部分に、第３野地板７１の上方から長尺ビスＢ（図示しない）を打ち込んで順次第２屋根パネル７を水平下地材２に固定する。なおこのとき、第２屋根パネル７は、第３垂木材７２を第１垂木材３２の軒桁方向の位置と略整合させた状態で水平下地材２に設置され、また、各野地板３１、７１は、第１野地板３１と第３野地板７１との離間距離が第２野地板４１の長さと略同一となるように形状を調整されている。
【００３４】
続いて、図１２に示すように、第１野地板３１及び第３野地板７１の間に位置する母屋２３に固定された垂木掛け２３ｂに受け屋根パネル４を載置する。このとき、第２垂木材４２は、一端部４２ａを第１垂木材３２の第１突出部３２ａ同士の間に配置されるとともに、他端部４２ｂを第３垂木材７２の第２突出部７２ａ同士の間に配置され、第２野地板４１の両端部４１ｂ、４１ｃをそれぞれ第１野地板３１の一方の端縁３１ｂ及び第３野地板７２の一方の端縁７１ａに突き合せる。そして、第２屋根パネル７と同様に、第２垂木材４２の垂木掛け２３ａに当接する部分に上方から長尺ビスＢ（図示しない）を打ち込んで受け屋根パネル４を水平下地材２に固定する。
【００３５】
このようにして水平下地材２上に配置された受け屋根パネル４は、図１３に示すように、第２野地板４１の第１突出部３２ａ及び第２突出部７２ａと整合する位置に上方から固定具Ａを打ち込むことにより連結される。そして、屋根構造１と同様の手順で軒先野地板５１、軒先母屋３４、及び端部野地板５２を設置し、屋根構造６を完成させる。
【００３６】
このように屋根構造６は、各垂木材３２、４２、７２を一部互い違いに配置することにより、従来のように垂木材の端部に複雑な加工を施して垂木材同士を継ぎ合わせる必要がないので、長さのある大屋根であっても施工性を大幅に向上させることができる。また、野地板と垂木材の継ぎ目が合致しないので、構造上の弱点を補うことができ、屋根に必要な構造耐力を保持しつつも容易に施工することができる屋根構造を構築することができる。そして、屋根パネル３及び第２屋根パネル７によって最水下と最水上との位置決めを行った後に受けパネル４を上方から落とし込むので、軒や棟廻りの各パネルのずれを防止することができる。
【００３７】
本発明の実施の形態は上述の形態に限ることなく、本発明の思想の範囲を逸脱しない範囲で適宜変更することができる。
【産業上の利用可能性】
【００３８】
本発明に係る屋根パネルは、木質構造の傾斜屋根を形成する際に好適に使用することができる。
【符号の説明】
【００３９】
１、６    屋根構造
２        水平下地材
３        屋根パネル
３１      第１野地板
３１ｂ    第１野地板の一方の端縁
３２      第１垂木材
３２ａ    第１突出部
４        受け屋根パネル
４１      第２野地板
４１ｂ    第２野地板の一方の端縁
４１ｃ    第２野地板の他方の端縁
４２      第２垂木材
４２ａ    第２垂木材の一端部
４２ｂ    第２垂木材の他端部
７        第２屋根パネル
７１      第３野地板
７１ａ    第３野地板の一方の端縁
７２      第３垂木材
７２ａ    第２突出部
Ｌ１      隣合う水平下地材同士の間隔
Ｌ２      第１突出部の突出長さ
Ｌ３      第２突出部の突出長さ
【図１】
2020176490.tif 000003
【図２】
2020176490.tif 000004
【図３】
2020176490.tif 000005
【図４】
2020176490.tif 000006
【図５】
2020176490.tif 000007
【図６】
2020176490.tif 000008
【図７】
2020176490.tif 000009
【図８】
2020176490.tif 000010
【図９】
2020176490.tif 000011
【図１０】
2020176490.tif 000012
【図１１】
2020176490.tif 000013
【図１２】
2020176490.tif 000014
【図１３】
2020176490.tif 000015